(57)【要約】【課題】付設したスプーンが収納物内に潜り込むことはなく、しかも開封後の取り扱いも容易に行なえて、使用者の手に収納物を付着させることなく使用でき、構造も簡単で、安価に製造できるスプーン付き容器を提案する。【解決手段】有底筒状で、上部に支持棒Ａ３を架設した容器体Ａと、支持棒Ａ３に柄４１の後端部を着脱可能に装着固定させて水平状態で支持したスプーンＢとを備え、水平状態のスプーンの柄４１の後端より後方に突設した弾性を有する第１挟持板４２及び第２挟持板４３で、後端部に挿入口４６を開口し、側面視が横長形状の挟持空間４７を形成し、支持棒Ａ３の断面形状を縦長形状に形成し、起立状態のスプーンＢを押し下げて挿入口より挟持空間内に支持棒を嵌入した後スプーンを傾倒することで、第１挟持板及び第２挟持板により支持棒を挟持して、容器体内上部に水平状態でスプーンを支持可能に構成した。【選択図】図１
2014046944.tif 000002
【特許請求の範囲】
【請求項１】
有底筒状で、上部に支持棒（Ａ３）を架設した容器体（Ａ）と、支持棒（Ａ３）に柄（４１）の後端部を着脱可能に装着固定させて水平状態で支持したスプーン（Ｂ）とを備え、スプーン（Ｂ）の着脱可能な装着固定手段として、水平状態のスプーン（Ｂ）の柄（４１）の後端より後方に突設した弾性を有する第１挟持板（４２）及び第２挟持板（４３）で、後端部に挿入口（４６）を開口し、側面視が横長形状の挟持空間（４７）を形成し、支持棒（Ａ３）の断面形状を縦長形状に形成し、起立状態のスプーン（Ｂ）を押し下げて挿入口（４６）より挟持空間（４７）内に支持棒（Ａ３）を嵌入した後スプーン（Ｂ）を傾倒することで、第１挟持板（４２）及び第２挟持板（４３）により支持棒（Ａ３）を挟持して、容器体（Ａ）内上部に水平状態でスプーン（Ｂ）を支持可能に構成したことを特徴とするスプーン付き容器。
【請求項２】
容器体（Ａ）内の上部縁部に、水平状態のスプーン（Ｂ）の柄（４１）を支持する支持板（２４）を突設した請求項１記載のスプーン付き容器。
【請求項３】
容器体（Ａ）内の上部縁部に、スプーン（Ｂ）の柄（４１）の側板（４１ｂ）の内面に係合してスプーン（Ｂ）の横ズレを防止する係止突部（２５）を突設した請求項１又は請求項２に記載のスプーン付き容器。
【請求項４】
第１挟持板（４２）と第２挟持板（４３）のいずれか一方を、間隔をあけて突設した一対の挟持板（４４）、（４４）で構成し、いずれか他方を、間隔をあけて突設した一対の挟持板（４４）、（４４）の中央部対向位置に突設した一つの挟持板（４５）で構成した請求項１乃至請求項３のいずれか１項に記載のスプーン付き容器。
【請求項５】
スプーン（Ｂ）の水平状態に於ける挟持空間（４７）を、側面視が横長楕円形状に形成するとともに、支持棒（Ａ３）の断面形状を、スプーン（Ｂ）の垂直状態に於ける挟持空間（４７）と相似状の縦長楕円形状に形成した請求項１乃至請求項４のいずれか１項に記載のスプーン付き容器。
【請求項６】
支持棒（Ａ３）の両端にそれぞれ連設した装着基部（３１）下面の嵌合凹部（３０）を、容器体（Ａ）内の対向する縁部にそれぞれ立設した嵌合突起（２６）にそれぞれ嵌着して、容器体（Ａ）に支持棒（Ａ３）を架設した請求項１乃至請求項５のいずれか１項に記載のスプーン付き容器。
【発明の詳細な説明】
【技術分野】
【０００１】
本発明はスプーン付き容器に関し、詳しくは、付設したスプーンが収納物内に潜り込むことなく、しかも開封後の取り扱いも容易であり、使用者の手に収納物が付着することを極力防止して使用できるスプーン付き容器に関する。
【背景技術】
【０００２】
スプーンを備え付けた容器が種々提案されている（例えば、特許文献１或いは特許文献２参照）。
【０００３】
前者は、折り畳み自在な箱形の容器本体の口部内周に嵌合凹段部を形成し、該嵌合凹段部に合成樹脂製の口枠を嵌合させ、該口枠には適所に一部を上方へと折り上げる薄肉のヒンジを形成するとともに、上方へ折り上げる側の一部の内側に計量カップ、計量スプーン、その他の取出し具を取り外し可能に付設し、更に、その口部を口枠を含めて開口用の薄肉のシール片で覆って、シール片の周縁部をその口部の口縁及び口枠へ加熱溶着、接着その他の手段により剥離可能に貼着している。
【０００４】
また、後者は、小麦粉等の粉粒体を収納する蓋付きの容器であって、蓋の内壁面に片持状の係止片をその脚部にて固着し、係止片と内壁面との隙間にてスプーンの柄部を着脱可能に弾性保持するようにしている。
【先行技術文献】
【特許文献】
【０００５】
【特許文献１】特開平１０−２５８８４１号公報
【特許文献１】特開平１０−３２８０５１号公報
【発明の概要】
【発明が解決しようとする課題】
【０００６】
従来の計量スプーンを付設した容器は、一般に収納物の上に計量スプーンを装入していたが、保管、搬送時に収納物の中に潜り込んでしまうという不都合が生じる。この様な不都合を防止するため上記特許文献１或いは特許文献２の発明では、口枠に計量スプーン取り外し可能に付設したり、蓋の内壁面に係止片を設けてスプーンの柄部を保持する如く構成することにより対応している。しかしながら、前者は開封の後に取り外したスプーンを収納物の上に装入しなければならず、また、後者は係止片と内壁面との狭い隙間に柄部を挿入しなければならないため、スプーンの着脱が行い難い等、いまだ改良の余地は残されている。
【０００７】
本発明は上記した点に鑑みてなされたもので、付設したスプーンが収納物内に潜り込むことはなく、しかも開封後の取り扱いも容易に行なえて、使用者の手に収納物を付着させることなく使用でき、構造も簡単で、安価に製造できるスプーン付き容器を提案する。
【課題を解決するための手段】
【０００８】
第１の手段として、以下の通り構成した。即ち、有底筒状で、上部に支持棒Ａ３を架設した容器体Ａと、支持棒Ａ３に柄４１の後端部を着脱可能に装着固定させて水平状態で支持したスプーンＢとを備え、スプーンＢの着脱可能な装着固定手段として、水平状態のスプーンＢの柄４１の後端より後方に突設した弾性を有する第１挟持板４２及び第２挟持板４３で、後端部に挿入口４６を開口し、側面視が横長形状の挟持空間４７を形成し、支持棒Ａ３の断面形状を縦長形状に形成し、起立状態のスプーンＢを押し下げて挿入口４６より挟持空間４７内に支持棒Ａ３を嵌入した後スプーンＢを傾倒することで、第１挟持板４２及び第２挟持板４３により支持棒Ａ３を挟持して、容器体Ａ内上部に水平状態でスプーンＢを支持可能に構成した。
【０００９】
第２の手段として、以下の通り構成した。即ち、前記第１の手段に於いて、容器体Ａ内の上部縁部に、水平状態のスプーンＢの柄４１を支持する支持板２４を突設した。
【００１０】
第３の手段として、以下の通り構成した。即ち、前記第１の手段又は第２の手段に於いて、容器体Ａ内の上部縁部に、スプーンＢの柄４１の側板４１ｂの内面に係合してスプーンＢの横ズレを防止する係止突部２５を突設した。
【００１１】
第４の手段として、以下の通り構成した。即ち、前記第１の手段乃至第３の手段のいずれかの手段に於いて、第１挟持板４２と第２挟持板４３のいずれか一方を、間隔をあけて突設した一対の挟持板４４、４４で構成し、いずれか他方を、間隔をあけて突設した一対の挟持板４４、４４の中央部対向位置に突設した一つの挟持板４５で構成した。
【００１２】
第５の手段として、以下の通り構成した。即ち、前記第１の手段乃至第４の手段のいずれかの手段に於いて、スプーンＢの水平状態に於ける挟持空間４７を、側面視が横長楕円形状に形成するとともに、支持棒Ａ３の断面形状を、スプーンＢの垂直状態に於ける挟持空間４７と相似状の縦長楕円形状に形成した。
【００１３】
第６の手段として、以下の通り構成した。即ち、前記第１の手段乃至第５の手段のいずれかの手段に於いて、支持棒Ａ３の両端にそれぞれ連設した装着基部３１下面の嵌合凹部３０を、容器体Ａ内の対向する縁部にそれぞれ立設した嵌合突起２６にそれぞれ嵌着して、容器体Ａに支持棒Ａ３を架設した。
【発明の効果】
【００１４】
本発明のスプーン付き容器は、付設したスプーンが収納物内に潜り込むことはなく、しかも、スプーンの着脱操作も極めて簡便で、使用者の手を汚す等の不都合を極力防止でき、また、構造も簡単で、安価に製造できる。
【００１５】
容器体Ａ内の上部縁部に、水平状態のスプーンＢの柄４１を支持する支持板２４を突設した場合には、容器体Ａに装着されたスプーンＢをより確実に水平状態に維持することが可能である。
【００１６】
容器体Ａ内の上部縁部に、スプーンＢの柄４１の側板４１ｂの内面に係合してスプーンＢの横ズレを防止する係止突部２５を突設した場合には、容器体Ａに装着されたスプーンＢが横ズレするのを確実に防止できる。また、その係止突部２５とスプーン側板４１ｂとの係合も、スプーンＢの後端部を支持棒Ａ３に嵌着した後傾倒するという操作の過程で行なうことができ、係止突部２５のスプーン側板４１ｂとの係合解除もスプーンＢを起立させるスプーンＢの離脱操作の過程で行なうことができるという使用上の便利もある。
【００１７】
第１挟持板４２と第２挟持板４３のいずれか一方を、間隔をあけて突設した一対の挟持板４４、４４で構成し、いずれか他方を、間隔をあけて突設した一対の挟持板４４、４４の中央部対向位置に突設した一つの挟持板４５で構成した場合には、一方を幅狭に構成できるため、支持棒Ａ３の嵌入がより行ない易く、しかも、一対の挟持板４４、４４及び一つの挟持板４５で安定した支持棒Ａ３の挟持が可能である。
【００１８】
スプーンＢの水平状態に於ける挟持空間４７を、側面視が横長楕円形状に形成するとともに、支持棒Ａ３の断面形状を、スプーンＢの垂直状態に於ける挟持空間４７と相似状の縦長楕円形状に形成した場合には、挿入口４６からの支持棒Ａ３の嵌入をより円滑に行なえるとともに、挟持空間４７内での支持棒Ａ３の回転をより円滑に行なえるという利点がある。
【００１９】
支持棒Ａ３の両端にそれぞれ連設した装着基部３１下面の嵌合凹部３０を、容器体Ａ内の対向する縁部にそれぞれ立設した嵌合突起２６にそれぞれ嵌着して、容器体Ａに支持棒Ａ３を架設した場合には、支持棒Ａ３の装着がより簡便となる。
【図面の簡単な説明】
【００２０】
【図１】スプーン付き容器の斜視図である。（第１実施例）
【図２】容器体の斜視図である。（第１実施例）
【図３】図２に於けるＶ−Ｖ線に沿う要部縦断面図である。（第１実施例）
【図４】図２に於けるＷ−Ｗ線に沿う要部縦断面図である。（第１実施例）
【図５】図２に於けるＸ−Ｘ線に沿う要部縦断面図である。（第１実施例）
【図６】スプーンの斜視図である。（第１実施例）
【図７】図６に於けるｚ−ｚ線に沿う要部縦断面図である。（第１実施例）
【図８】スプーンの装着を説明する説明図である。（第１実施例）
【図９】スプーン付き容器の斜視図である。（第２実施例）
【図１０】容器体の斜視図である。（第２実施例）
【図１１】図１０に於けるＹ−Ｙ線に沿う要部縦断面図である。（第２実施例）
【図１２】図１０に於けるＺ−Ｚ線に沿う要部縦断面図である。（第２実施例）
【発明を実施するための形態】
【００２１】
以下、本発明の実施例の形態を図面を参照して説明する。
【００２２】
図１はスプーン付き容器の第１実施例を示し、スプーン付き容器１は、容器体Ａと、スプーンＢと、蓋体Ｃとを備えている。尚、説明の便宜上、図１に於ける容器体Ａの蓋体Ｃが連結している部分を後部、それと対向する前方を前部として説明する。
【００２３】
第１実施例に於いて容器体Ａは、容器本体Ａ１と、枠体Ａ２と、支持棒Ａ３で構成している。容器本体Ａ１は、底壁１０周縁部より周壁１１を立設した有底四角筒状をなし、図３、図４に要部断面図で示す如く、周壁１１の上端縁より外方へフランジ状頂板１２を延設し、フランジ状頂板１２を介して垂壁部１３を垂設している。垂壁部１３は上下方向中間部の段部により上方の小径部１３ａと、下方の大径部１３ｂとで構成される。容器本体Ａ１は合成樹脂により形成している。
【００２４】
枠体Ａ２も同様に合成樹脂により形成され、図３に要部断面図で示す如く、容器本体Ａ１のフランジ状頂板１２上に当接した環状頂板２０の内周縁から容器本体Ａ１の周壁１１内周上端部に嵌合する内嵌合壁２１と、小径部１３ａ外周に嵌合する外嵌合壁２２をそれぞれ垂設し、内嵌合壁２１の下端縁より内方へフランジ２３を延設している。また、フランジ２３の後部中央よりスプーンＢを係止するための支持板２４を突設しており、支持板２４の内縁より係止突部２５を立設している。また、容器体Ａの右側端部の前後位置に該当するフランジ２３上面には、図４の要部断面図で示す如く、それぞれ嵌合突起２６を突設している。
【００２５】
支持棒Ａ３は、スプーンＢの着脱可能な装着固定手段を構成するもので、容器体Ａ内上部に架設しており、断面が縦長形状をなしている。第１実施例では、下面に嵌合凹部３０を凹設した装着基部３１を両端に備え、図４の要部断面図で示す如く、各嵌合凹部３０を枠体Ａ２の嵌合突起２６と嵌合させて、容器体Ａ内の上部の右側部分に掛け渡している。また、支持棒Ａ３の断面形状は、図５に示す如く、縦長楕円形状をなしているが、これに限られず、縦長の長方形状であっても、縦長な多角形状であっても良い。
【００２６】
スプーンＢは合成樹脂製で、掬皿４０と、柄４１と、第１挟持板４２及び第２挟持板４３とを備えている。尚、便宜上図６に於いて、掬皿４０のある方を前部、第１挟持板４２及び第２挟持板４３が存在する方を後部として説明する。第１実施例に於いて柄４１は、掬皿４０の上端開口縁後部より後方に、図７に要部断面図で示す如く、略水平に延設した基板４１ａの両側から側板４１ｂを垂設して構成している。尚、スプーンＢは、掬皿４０の容量が一定である、計量スプーンの機能を持たせている。
【００２７】
第１挟持板４２及び第２挟持板４３は、スプーンＢの柄４１の後端より後方に突設した弾性を有するもので、支持棒Ａ３とともに、スプーンＢの着脱可能な装着固定手段を構成する。また、第１挟持板４２及び第２挟持板４３で、後端部に挿入口４６を開口した、水平状態に於いて側面視が横長形状の挟持空間４７を形成している。第１実施例では、第１挟持板４２を第２挟持板４３に対して上方に位置させ、第１挟持板４２を、間隔をあけて突設した一対の挟持板４４、４４で構成し、また、第２挟持板４３を、間隔をあけて突設した一対の挟持板４４の中央部対向位置に突設した一つの挟持板４５で構成している。第１挟持板４２を構成する一対の挟持板４４、４４は上方凸の半楕円板状をなし、また、第２挟持板４３を構成する一つの挟持板４５は下方凸の半楕円板状をなし、両者で、水平状態に於いて側面視が横長楕円形状の挟持空間４７を形成している。尚、挟持空間４７の場合も、横長形状であれば長方形であっても多角形であっても良いが、挟持空間４７と、支持棒Ａ３との形状が、スプーンＢを起立して嵌合した際に、互いに相似形状となることが好ましい。また、第１挟持板４２、第２挟持板４３は、上記挿通口４６、挟持空間４７の要件を満たせば、例えば互いに一枚ずつから構成されるものであっても良い。
【００２８】
そして、起立状態のスプーンＢを押し下げて、図８（ａ）に示す如く、挿入口４６より挟持空間４７内に支持棒Ａ３を嵌入した後、スプーンＢを傾倒することで、図８（ｂ）に示す如く、第１挟持板４２及び第２挟持板４３により支持棒Ａ３を挟持して、容器体Ａ内上部に水平状態でスプーンＢを支持可能に構成している。尚、第１実施例では、容器体Ａが、枠体Ａ２に設けた支持板２４を備えているため、装着固定したスプーンＢの柄４１の下面を支持板２４が当接支持して、第１挟持板４２及び第２挟持板４３が支持棒Ａ３を挟持する部分を中心に回動して下方へ垂れ下がるのを確実に防止している。第１挟持板４２及び第２挟持板４３による支持棒Ａ３の挟持力によりスプーンＢの水平維持は可能であるが、支持板２４の存在でより確実に、長期の使用に対応できる。また、第１実施例では、係止突部２５を設けているため、この係止突部２５が、装着固定されたスプーンＢの側板４１ｂ内面に嵌合して、スプーンＢが容器体Ａ後方から前方へ横ズレするのを確実に防止でき、スプーンＢの装着固定位置を常時同位置とすることができる。
【００２９】
蓋体Ｃは、容器体Ａの上端開口を開閉可能に閉塞するもので、第１実施例では、枠体Ａ２と一体に形成されており、枠体Ａ２の環状頂板２０の後部中央にヒンジ５０を介して周壁５１後部下端を一体に連結しており、周壁５１の上端縁より頂壁５２を延設した形態をなしている。そして、枠体Ａ２の外嵌合壁２２外面及び容器本体Ａ１の大径部１３ｂ外面に、周壁５１を着脱可能に嵌合して、容器体Ａに被着可能に構成している。尚、蓋体Ｃを容器体Ａと別体に形成し、容器体Ａに着脱可能に構成することも当然可能である。
【００３０】
上記の如く構成したスプーン付き容器１は、使用に当たっては、図１の状態から、スプーンＢを起立させた後、引き抜いて収納物を計量して使用する。使用後はスプーンＢを再び嵌合した後蓋体Ｃを嵌合する。
【００３１】
図９乃至図１２は第２実施例を示し、容器体Ａを容器本体Ａ１ａと支持棒Ａ３とで構成している。
【００３２】
容器本体Ａ１ａは合成樹脂により形成され、底壁１０周縁部より周壁１１を立設した有底四角筒状をなし、図１１、図１２に要部断面図で示す如く、周壁１１の上端内縁に環状の段部１４を形成している。また、周壁１０の後部中央よりスプーンＢを係止するための支持板２４を突設しており、支持板２４の内縁より係止突部２５を立設している。また、容器体Ａの右側端部の前後位置に該当する段部１４上面には、図１２の要部断面図で示す如く、それぞれ嵌合突起２６を突設している。
【００３３】
支持棒Ａ３は、下面に嵌合凹部３０を凹設した装着基部３１を両端に備え、図１２の要部断面図で示す如く、各嵌合凹部３０を容器本体Ａ１ａの嵌合突起２６と嵌合させて、容器体Ａ内の上部の右側部分に掛け渡している。支持棒Ａ３の断面形状は、第１実施例と同様の縦長楕円形状をなしているが、この場合もこれに限られず、縦長の長方形状であっても、縦長な多角形状であっても良い。
【００３４】
スプーンＢは第１実施例と同様構成であり、起立状態のスプーンＢを押し下げて、挿入口４６より挟持空間４７内に支持棒Ａ３を嵌入した後、スプーンＢを傾倒することで、第１挟持板４２及び第２挟持板４３により支持棒Ａ３を挟持して、容器体Ａ内上部に水平状態でスプーンＢを支持可能に構成している。また、装着固定したスプーンＢの柄４１の下面を支持板２４が当接支持して、第１挟持板４２及び第２挟持板４３が支持棒Ａ３を挟持する部分を中心に回動して下方へ垂れ下がるのを確実に防止している。また、係止突部２５が、装着固定されたスプーンＢの側板４１ｂ内面に嵌合して、スプーンＢが容器体Ａ後方から前方へ横ズレするのを確実に防止でき、スプーンＢの装着固定位置を常時同位置とすることができる。
【００３５】
蓋体Ｃは、容器体Ａの上端開口を開閉可能に閉塞するもので、第２実施例では、容器本体Ａ１ａと一体に形成されており、容器本体Ａ１ａの周壁１１後部中央上端にヒンジ５０を介して周壁５１後部下端を一体に連結しており、周壁５１の上端縁より頂壁５２を延設した形態をなしている。そして、容器本体Ａ１ａの周壁１１外面に、周壁５１を着脱可能に嵌合して、容器体Ａに被着可能に構成している。尚、蓋体Ｃを容器体Ａと別体に形成し、容器体Ａに着脱可能に構成することも当然可能である。
【００３６】
第２実施例のスプーン付き容器１も、使用に当たっては、図９の状態から、スプーンＢを起立させた後、引き抜いて収納物を計量して使用する。使用後はスプーンＢを再び嵌合した後蓋体Ｃを嵌合する。
【符号の説明】
【００３７】
１：スプーン付き容器
Ａ：容器体
Ａ１、Ａ１ａ：容器本体
１０…底壁、１１…周壁、１２…フランジ状頂板、１３…垂壁部、１３ａ…小径部、
１３ｂ…大径部、１４…段部
Ａ２：枠体
２０…環状頂板、２１…内嵌合壁、２２…外嵌合壁、２３…フランジ、２４…支持板、
２５…係止突部、２６…嵌合突起
Ａ３…支持棒
３０…嵌合凹部、３１…装着基部
Ｂ：スプーン
４０…掬皿、４１…柄、４１ａ…基板、４１ｂ…側板、４２…第１挟持板、
４３…第２挟持板、４４…一対の挟持板、４５…一つの挟持板、４６…挿入口、
４７…挟持空間
Ｃ：蓋体
５０…ヒンジ、５１…周壁、５２…頂壁
【図１】
2014046944.tif 000003
【図２】
2014046944.tif 000004
【図３】
2014046944.tif 000005
【図４】
2014046944.tif 000006
【図５】
2014046944.tif 000007
【図６】
2014046944.tif 000008
【図７】
2014046944.tif 000009
【図８】
2014046944.tif 000010
【図９】
2014046944.tif 000011
【図１０】
2014046944.tif 000012
【図１１】
2014046944.tif 000013
【図１２】
2014046944.tif 000014